(57)【要約】【課題】汚物の排出効率を高める。【解決手段】汚物排出装置は、汚物を受ける鉢部１０と、鉢部１０の下部に竪穴状に形成され、水封部２６を構成する旋回流生成部２０と、鉢部１０の内面のうち旋回流生成部２０よりも上方領域の鉢面２１に対し、洗浄水を旋回させるように吐出する吐水口１８Ｌ，１８Ｒと、鉢面２１から段差状に立ち上がるように形成され、平面視において旋回流生成部２０の開口縁２０Ｙに対して交差する向きに延びた形態であって、鉢面２１に沿って旋回する洗浄水を旋回流生成部２０内へ落下させるように誘導する落下用誘導面３１とを備える。【選択図】図３
2015074876.tif 000002
【特許請求の範囲】
【請求項１】
汚物を受ける鉢部と、
前記鉢部の下部に竪穴状に形成され、水封部を構成する旋回流生成部と、
前記鉢部の内面のうち前記旋回流生成部よりも上方領域の鉢面に対し、洗浄水を旋回させるように吐出する吐水口と、
前記鉢面から段差状に立ち上がるように形成され、平面視において前記旋回流生成部の開口縁に対して交差する向きに延びた形態であって、前記鉢面に沿って旋回する洗浄水を前記旋回流生成部内へ落下させるように誘導する落下用誘導面とを備えていることを特徴とする汚物排出装置。
【請求項２】
前記鉢面から段差状に立ち上がるように形成され、平面視において前記旋回流生成部の外周縁に対して接線状となるように延びた形態であって、前記鉢面に沿って旋回する洗浄水を前記旋回流生成部内に誘導する旋回用誘導面を備えていることを特徴とする請求項１記載の汚物排出装置。
【請求項３】
前記旋回流生成部内において、前記落下用誘導面によって落下する洗浄水の流束の向きが、前記旋回用誘導面によって前記旋回流生成部内に誘導される洗浄水の流束に対して略直交する向きであることを特徴とする請求項１又は請求項２記載の汚物排出装置。
【請求項４】
水平面に対する前記落下用誘導面の立ち上がり角度が、水平面に対する前記旋回用誘導面の立ち上がり角度より大きいことを特徴とする請求項１ないし請求項３のいずれか１項に記載の汚物排出装置。
【請求項５】
前記鉢面のうち前記落下用誘導面に隣接する領域の水平面に対する傾斜角度が、前記鉢面のうち前記旋回用誘導面に隣接する領域の水平面に対する傾斜角度よりも大きいことを特徴とする請求項１ないし請求項４のいずれか１項に記載の汚物排出装置。
【発明の詳細な説明】
【技術分野】
【０００１】
本発明は、汚物排出装置に関する。
【背景技術】
【０００２】
特許文献１には、鉢部の下端部に、排水路の入口に連なる竪穴状の旋回流生成部を形成し、鉢面に、旋回流生成部の開口縁に対して接線状に連なるような段部を突出形成した汚物排出装置が記載されている。この装置では、鉢面に沿って流れる洗浄水が、段部に誘導されて旋回流生成部内で旋回流となり、その旋回流の勢いによって汚物を排水路側へ送り出す。このように旋回流によって排出効率を高めることにより、洗浄水の消費量を抑えることができる。
【先行技術文献】
【特許文献】
【０００３】
【特許文献１】特開平１１−０６１９５０号公報
【発明の概要】
【発明が解決しようとする課題】
【０００４】
排出効率を高めるためには、鉢面に供給される洗浄水の流速を速めることが効果的である。しかし、洗浄水の流速が速すぎると遠心力が大きくなるため、洗浄水は、段部で誘導しても旋回流生成部内に収まり難くなる。
本発明は、上記従来の実情に鑑みてなされたものであって、汚物の排出効率を高めることを解決すべき課題としている。
【課題を解決するための手段】
【０００５】
本発明の汚物排出装置は、
汚物を受ける鉢部と、
前記鉢部の下部に竪穴状に形成され、水封部を構成する旋回流生成部と、
前記鉢部の内面のうち前記旋回流生成部よりも上方領域の鉢面に対し、洗浄水を旋回させるように吐出する吐水口と、
前記鉢面から段差状に立ち上がるように形成され、平面視において前記旋回流生成部の開口縁に対して交差する向きに延びた形態であって、前記鉢面に沿って旋回する洗浄水を前記旋回流生成部内へ落下させるように誘導する落下用誘導面とを備えていることを特徴とする。
【発明の効果】
【０００６】
吐水口から吐出されて鉢面を旋回する洗浄水の一部は、そのまま旋回しながら旋回流生成部内に流入し、それ以外の洗浄水は、落下用誘導面により強制的に旋回流生成部内へ落下し、この落下の勢いにより鉢面上で旋回する洗浄水が旋回流生成部内に引き込まれる。落下用誘導面に誘導された洗浄水の流束の方向は、平面視において旋回流生成部の開口縁に対して交差する向きなので、旋回力が小さく抑えられ、その分、落下方向の勢いが高められている。したがって、本発明によれば、鉢面で旋回する洗浄水の流速が高くても、その洗浄水を効果的に旋回流生成部内に引き込んで、汚物の排出効率を高めることができる。
【図面の簡単な説明】
【０００７】
【図１】実施例１の汚物排出装置の平面図
【図２】図１のＡ−Ａ線断面図
【図３】図２のＢ−Ｂ線断面図
【図４】図１のＣ−Ｃ線断面図
【図５】図１のＤ−Ｄ線断面図
【図６】図１のＥ−Ｅ線断面図
【図７】図１のＦ−Ｆ線断面図
【図８】図１のＧ−Ｇ線断面図
【発明を実施するための形態】
【０００８】
（１）本発明の汚物排出装置は、前記鉢面から段差状に立ち上がるように形成され、平面視において前記旋回流生成部の開口縁に対して接線状となるように延びた形態であって、前記鉢面に沿って旋回する洗浄水を前記旋回流生成部内に誘導する旋回用誘導面を備えていてもよい。この構成によれば、吐水口から鉢面に吐出される洗浄水の流速が低くても、旋回用誘導面によって旋回流生成部内の洗浄水に十分な旋回力を付与することができる。
【０００９】
（２）本発明の汚物排出装置は、前記旋回流生成部内において、前記落下用誘導面によって落下する洗浄水の流束の向きが、前記旋回用誘導面によって前記旋回流生成部内に誘導される洗浄水の流束に対して略直交する向きであってもよい。この構成によれば、旋回流の流束の向きが、落下する洗浄水により水平に対して斜めをなすように変えられる。これにより、排出効率が高まる。
【００１０】
（３）本発明の汚物排出装置は、水平面に対する前記落下用誘導面の立ち上がり角度が、水平面に対する前記旋回用誘導面の立ち上がり角度より大きくてもよい。この構成によれば、洗浄水を旋回流生成部内に引き込む作用が、より強力となる。
【００１１】
（４）本発明の汚物排出装置は、前記鉢面のうち前記落下用誘導面に隣接する領域の水平面に対する傾斜角度が、前記鉢面のうち前記旋回用誘導面に隣接する領域の水平面に対する傾斜角度よりも大きくてもよい。この構成によれば、洗浄水を旋回流生成部内に引き込む作用が、より強力となる。
【００１２】
＜実施例１＞
以下、本発明を具体化した実施例１を図１〜図８を参照して説明する。本実施例の汚物排出装置は、洋風大便器、汚物流し等、汚物を排出する衛生機器として機能するものと定義される。尚、以下の説明において、前後方向に関しては、図１における下側を前側、図１における上側を後側と定義する。また、左右方向に関しては、装置を正面から視た向き、つまり、図１にあらわれる向きをそのまま左側及び右側と定義する。
【００１３】
＜汚物排出装置の概要＞
汚物排出装置は、図２に示すように、上面が開放された形態であって汚物（図示省略）を受ける鉢部１０と、鉢部１０の下端に連なって鉢部１０内の汚物を洗浄水（図示省略）と一緒に排出する排水路２３と、水封部２６とを備えて構成されている。後述するように水封部２６は、鉢部１０の下端部と、排水路２３の上流側端部とを構成している。
【００１４】
図１に示すように、鉢部１０の上面の開口部の平面形状は略方形をなしている。鉢部１０の上面の開口縁部は、前縁部１１と、右側縁部１２Ｒと、左側縁部１２Ｌと、後縁部１３とで構成されている。後縁部１３の左右方向中央部には、給水口１４が形成されている。また、図３に示すように、鉢部１０の開口縁部には、図示しないフラッシュバルブから給水口１４を通して供給された洗浄水を鉢部１０に吐出するためのリム通水路１５が形成されている。
【００１５】
リム通水路１５は、後縁部１３の左右方向中央部に配置されて給水口１４に連通する給水空間１６と、給水空間１６から後縁部１３の右端部（右側縁部１２Ｒの後端部）に至る第１流路１７Ｒと、給水空間１６から後縁部１３の左端部を経由して左側縁部１２Ｌの前後方向略中央部に至る第２流路１７Ｌとによって構成されている。第１流路１７Ｒの前端部（下流端部）は、折り返すように屈曲されていて、その先端が第１吐水口１８Ｒとなっている。第１吐水口１８Ｒは、平面視において反時計回り方向に開口している。第２流路１７Ｌの前端部（下流端部）は第２吐水口１８Ｌとなっている。第２吐水口１８Ｌも、第１吐水口１８Ｒと同様、平面視において反時計回り方向に開口している。
【００１６】
図１，２に示すように、鉢部１０の下端部には、その平面視における略中央部を竪穴状に凹ませた形態の旋回流生成部２０が形成されている。鉢部１０の内面のうち旋回流生成部２０よりも上方の領域は、旋回流生成部２０に向かって下るように傾斜した鉢面２１となっている。第１吐水口１８Ｒと第２吐水口１８Ｌとから吐出された洗浄水は、鉢面２１上で反時計回りに旋回しながら旋回流生成部２０内に流入し、旋回流生成部２０内において反時計回り方向の旋回流ＷＲを生成する。旋回流生成部２０のうち略下半分の領域は、溜水部２２となっている。溜水部２２内でも洗浄水が旋回する。
【００１７】
図２に示すように、排水路２３は、溜水部２２の下流端に連なる上昇路２４と、上昇路２４の下流端に連なる下降路２５とを備えて構成されている。つまり、排水路２３の入口（上流端）は、鉢部１０（旋回流生成部２０）の下端部（下流端）に繋がっている。そして、上昇路２４と溜水部２２とにより、水封部２６が構成されている。水封部２６が水封された状態では、洗浄水が溜水Ｗｓとして溜水部２２と上昇路２４とに貯留される。尚、溜水部２２の上端の高さは、水封時における溜水面Ｓと同じ高さであると規定される。鉢面２１や旋回流生成部２０で受け止められた汚物は、第１吐水口１８Ｒと第２吐水口１８Ｌから吐出された洗浄水に乗じて、鉢面２１上及び旋回流生成部２０内で旋回し、洗浄水とともに水封部２６、排水路２３を通って排出されるようになっている。
【００１８】
＜汚物の排出効率を高める手段＞
鉢面２１には、旋回流生成部２０内における洗浄水の旋回流ＷＲの流速（旋回周速度）を高める手段として、旋回用誘導面３０が形成されている。図１，３に示すように、平面視において、旋回用誘導面３０は、鉢面２１の外周縁近くから旋回流生成部２０の開口縁２０Ｙの近傍まで連続して形成され、旋回流生成部２０の開口縁２０Ｙに対して概ね接線状に繋がるような位置及び向きに延びている。また、旋回用誘導面３０は、反時計回り方向（つまり、鉢面２１における洗浄水の旋回方向と同じ向き）へ膨らむように湾曲している。
【００１９】
旋回流生成部２０を略中心とする円周方向において、旋回用誘導面３０の内周側の端部は、旋回用誘導面３０の外周側の端部よりも反時計回り方向にずれた位置に配置されている。そして、図３に示すように、旋回用誘導面３０の外周側の端部は、第１吐水口１８Ｒから反時計回り方向にずれ、且つ第２吐水口１８Ｌよりも時計回り方向にずれた位置、つまり、旋回流生成部２０よりも後方の位置に配置されている。旋回用誘導面３０の内周側の端部は、旋回流生成部２０の開口縁２０Ｙのうち左側縁から前縁に亘る領域に対し、斜め左後方向から斜め右前方向に合流するように配置されている。
【００２０】
図６に示すように、旋回用誘導面３０は、鉢面２１から鉛直方向に近い角度αで段差状に立ち上がった形態である。図１，３に示すように、平面視において、鉢面２１のうち旋回用誘導面３０よりも時計回り方向の領域（鉢面２１上における洗浄水の旋回方向上流側の領域）は、旋回用誘導面３０よりも反時計回り方向の領域（鉢面２１上における洗浄水の旋回方向下流側の領域）に比べて段差状に低くなっている。この旋回用誘導面３０は、鉢面２１に沿って旋回する洗浄水を旋回力を付与しながら旋回流生成部２０内に誘導する機能を発揮するので、吐水口１８Ｌ，１８Ｒから鉢面２１に吐出される洗浄水の流速が低くても、旋回用誘導面３０によって旋回流生成部２０内の旋回流ＷＲに十分な旋回力を付与することができる。
【００２１】
また、鉢面２１には、旋回流生成部２０内の旋回流ＷＲに下向き（排水路２３側）押込力を付与するための手段として、落下用誘導面３１が形成されている。図１，３に示すように、落下用誘導面３１は、旋回用誘導面３０と同様、鉢面２１の外周縁近くから旋回流生成部２０の開口縁２０Ｙの近傍まで連続して形成されている。
【００２２】
図３に示すように、平面視において、落下用誘導面３１の外周側の端部は、第１吐水口１８Ｒから時計回り方向にずれた位置、つまり、旋回流生成部２０よりも右方の位置に配置されている。落下用誘導面３１の内周側の端部は、旋回流生成部２０の開口縁２０Ｙのうち右側縁と後縁とが連なる領域に突き当たるように位置している。換言すると、落下用誘導面３１は、旋回流生成部２０を略中心とする径方向に沿ってほぼ直線状をなし、旋回流生成部２０の開口縁２０Ｙに対し交差するように延びている。
【００２３】
図５に示すように、落下用誘導面３１は、鉢面２１から鉛直方向に近い角度βで段差状に立ち上がった形態である。図１，３に示すように、平面視において、鉢面２１のうち落下用誘導面３１よりも時計回り方向の領域（鉢面２１上における洗浄水の旋回方向上流側の領域）は、落下用誘導面３１よりも反時計回り方向の領域（鉢面２１上における洗浄水の旋回方向下流側の領域）に比べて段差状に低くなっている。
【００２４】
図５，６に示すように、水平面に対する落下用誘導面３１の立ち上がり角度βは、水平面に対する旋回用誘導面３０の立ち上がり角度αよりも少し大きい角度に設定されている。また、図７，８に示すように、鉢面２１のうち落下用誘導面３１から時計回り方向（鉢面２１上における旋回流ＷＡ，ＷＢの上流側）へずれた隣接領域３１Ｎは、鉢面２１の外周縁から旋回流生成部２０に向かって下るように傾斜している。また、鉢面２１のうち旋回用誘導面３０から時計回り方向へずれた隣接領域３０Ｎも、鉢面２１の外周縁から旋回流生成部２０に向かって下るように傾斜している。そして、落下用誘導面３１の隣接領域３１Ｎの水平面に対する傾斜角度γは、旋回用誘導面３０の隣接領域３０Ｎの水平面に対する傾斜角度δよりも大きい角度に設定されている。尚、これらの隣接領域３０Ｎ，３１Ｎの傾斜角度γ、δは、各領域の外周端と旋回流生成部２０の開口縁２０Ｙとを結んだ直線と、水平面とのなす角度である。
【００２５】
＜作用及び効果＞
鉢部１０内を洗浄する際には、給水口１４から所定量の洗浄水をリム通水路１５に供給する。供給された洗浄水は、第１流路１７Ｒと第２流路１７Ｌを通過して第１吐水口１８Ｒと第２吐水口１８Ｌから鉢面２１に吐出される。第１吐水口１８Ｒから吐出された洗浄水の大部分は、図３に矢線ＷＡで示すように、鉢面２１のうち旋回流生成部２０よりも後方の領域を反時計回り方向に旋回しながら汚物を鉢面２１から除去し、旋回用誘導面３０に衝突する。旋回用誘導面３０に突き当たった洗浄水と汚物は、平面視において旋回用誘導面３０の螺旋状に湾曲した形状と、旋回用誘導面３０の隣接領域３０Ｎの傾斜とにより、旋回流生成部２０内に誘導され、旋回流生成部２０内で反時計回りの旋回流ＷＲを生成する。
【００２６】
第２吐水口１８Ｌから吐出された洗浄水の大部分は、図３に矢線ＷＢで示すように、鉢面２１のうち旋回流生成部２０よりも左前方の領域と旋回流生成部２０よりも前方の領域と旋回流生成部２０よりも右前方の領域を、順に通過するように反時計回り方向に旋回しながら、鉢面２１から汚物を除去し、落下用誘導面３１に衝突する。落下用誘導面３１に突き当たった洗浄水と汚物は、落下用誘導面３１の隣接領域３１Ｎの傾斜により、落下用誘導面３１に沿って旋回流生成部２０内に誘導され、図８に矢線ＷＦで示すように、鉛直方向に近い角度で落下する。
【００２７】
尚、第１吐水口１８Ｒから吐出された洗浄水の一部は、旋回用誘導面３０よりも外周側を通過するとともに旋回用誘導面３０を乗り越えて、第２吐水口１８Ｌから吐出された洗浄水（旋回流ＷＢ）と合流する。また、第２吐水口１８Ｌから吐出された洗浄水の一部は、落下用誘導面３１よりも外周側を通過するとともに落下誘導面を乗り越えて、第１吐水口１８Ｒから吐出された洗浄水（旋回流ＷＡ）と合流する。
【００２８】
旋回流生成部２０内では、鉢面２１から旋回用誘導面３０に誘導されながら流入した洗浄水と汚物が、水封部２６の溜水Ｗｓを巻き込みながら旋回する。この旋回流ＷＲは、鉢面２１から旋回流生成部２０に流入する洗浄水の下向きの勢いにより、旋回流生成部２０の下端から排水路２３側へ押し出されて、排出される。汚物の排出効率は、旋回流生成部２０から排水路２３への押し出し力が強くなるほど、高くなる。排水路２３への押し出し力を高めるためには、鉢面２１から旋回流生成部２０内に落下する洗浄水の勢いを強めることが効果的である。
【００２９】
そこで、本実施例では、汚物の排出効率を高める手段として、鉢面２１から段差状に立ち上がり、平面視において旋回流生成部２０の開口縁２０Ｙに対して交差する向きに延びた形態の落下用誘導面３１を形成した。この落下用誘導面３１は、鉢面２１に沿って旋回する洗浄水を、強制的に旋回流生成部２０内へ落下させるように誘導する機能を発揮する。したがって、落下用誘導面３１により強制的に旋回流生成部２０に誘導された洗浄水の落下の勢いにより、鉢面２１で旋回している洗浄水（旋回流ＷＢ）が旋回流生成部２０内に引き込まれる。
【００３０】
そして、図３に示すように、落下用誘導面３１に誘導された洗浄水の流束ＷＦの方向は、平面視において旋回流生成部２０の開口縁２０Ｙに対して交差する向きとなっているので、落下用誘導面３１に誘導される洗浄水の旋回力は小さく抑えられ、その分、落下方向の勢いが高められている。しかも、水平面に対する落下用誘導面３１の立ち上がり角度βは、比較的大きく角度（水平面に対する旋回用誘導面３０の立ち上がり角度αより大きい角度）に設定されており、その上、鉢面２１のうち落下用誘導面３１の隣接領域３１Ｎの水平面に対する傾斜角度γも、比較的大きい角度（鉢面２１のうち旋回用誘導面３０の隣接領域３０Ｎの水平面に対する傾斜角度δよりも大きい角度）に設定されている。したがって、洗浄水を旋回流生成部２０内に引き込む作用が、より強力となっている。これにより、鉢面２１で旋回する洗浄水の流速が高くても、その洗浄水を効果的に旋回流生成部２０内に引き込んで、汚物の排出効率を高めることができる。
【００３１】
また、旋回流生成部２０内においては、図４，８に示すように、落下用誘導面３１によって落下する洗浄水の流束ＷＦの向きがほぼ鉛直方向であるのに対し、旋回用誘導面３０によって旋回流生成部２０内に誘導される洗浄水（旋回流ＷＲ）の流束はほぼ水平面に沿って旋回しようとする。したがって、落下用誘導面３１の誘導によって旋回流生成部２０内を落下した洗浄水の流束ＷＦと、旋回用誘導面３０の誘導によって旋回流生成部２０内に誘導された洗浄水によって生成される旋回流ＷＲの流束とは、ほぼ直交するようにぶつかり合う。この構成によれば、旋回流ＷＲの流束の向きが、落下する洗浄水により水平に対して斜めをなすように変えられるので、旋回流生成部２０内の旋回流ＷＲが排水路２３側へ移動し易くなる。これにより、排出効率が高まる。
【００３２】
＜他の実施例＞
本発明は上記記述及び図面によって説明した実施例に限定されるものではなく、例えば次のような実施例も本発明の技術的範囲に含まれる。
（１）上記実施例では、落下用誘導面の形成位置を１カ所だけとしたが、落下用誘導面は複数カ所に形成してもよい。
（２）上記実施例では、旋回用誘導面の形成位置を１カ所だけとしたが、旋回用誘導面は複数カ所に形成してもよい。
（３）上記実施例では、旋回用誘導面を形成したが、旋回用誘導面を形成しない形態としてもよい。
（４）上記実施例では、旋回流生成部内において、落下用誘導面によって落下する洗浄水の流束の向きを、旋回用誘導面によって生成された旋回流の流束に対して略直交する向きとしたが、双方の流束は、斜めに交差するような向きであってもよい。
（５）上記実施例では、水平面に対する落下用誘導面の立ち上がり角度を、水平面に対する旋回用誘導面の立ち上がり角度より大きい角度としたが、落下用誘導面の立ち上がり角度は、旋回用誘導面の立ち上がり角度と同じか、それよりも小さい角度であってもよい。
（６）上記実施例では、鉢面のうち落下用誘導面に隣接する領域の水平面に対する傾斜角度を、鉢面のうち旋回用誘導面に隣接する領域の水平面に対する傾斜角度よりも大きい角度としたが、落下用誘導面に隣接する領域の傾斜角度は、旋回用誘導面に隣接する領域の傾斜角度と同じか、それよりも小さい角度であってもよい。
（７）上記実施例では、吐水口の数を２つとしたが、吐水口の開口数は、１つでもよく、３つ以上でもよい。
（８）上記実施例では、洗浄水をフラッシュバルブから供給したが、洗浄水は、ロータンク等の洗浄タンクから供給されるようにしてもよい。
【符号の説明】
【００３３】
１０…鉢部
１８Ｒ…第１吐水口
１８Ｌ…第２吐水口
２０…旋回流生成部
２１…鉢面
２６…水封部
３０…旋回用誘導面
３１…落下用誘導面
α…旋回用誘導面の立ち上がり角度
β…落下用誘導面の立ち上がり角度
γ…落下用誘導面に隣接する領域の傾斜角度
δ…旋回用誘導面に隣接する領域の傾斜角度
【図１】
2015074876.tif 000003
【図２】
2015074876.tif 000004
【図３】
2015074876.tif 000005
【図４】
2015074876.tif 000006
【図５】
2015074876.tif 000007
【図６】
2015074876.tif 000008
【図７】
2015074876.tif 000009
【図８】
2015074876.tif 000010